(57)【特許請求の範囲】
【請求項１】
上方に瓦への取り付け用ボルト挿通孔、下方に瓦へのリベット挿通孔を形成したほぼ縦長矩形の受け面と、この受け面部の上縁部から略クランク状に折曲されるとともにフック片が一体に形成された第１係合部と前記受け面の下縁部から略クランク状に折曲され、フック片よりも受け面部から突出している第２係合部からなることを特徴とする瓦止め金具。
【請求項２】
上方に瓦への取り付け用ボルト挿通孔、下方にリベット挿通孔を形成したほぼ縦長矩形の受け面と、この受け面部の上縁部から略クランク状に折曲されるとともにフック片が一体に形成された第１係合部と前記受け面部の下縁部から略クランク状に折曲され、フック片よりも受け面部から突出している第２係合部からなる瓦止め金具と、波状部の左右方向の一端の上下方向に重ね縁部を重合する受け縁部を凹陥状に形成し、他端の上下方向に受け縁部に重合する重ね縁部を庇状に突出して形成するとともに瓦上方に前記瓦止め金具の取り付け用ボルト挿通孔、ボルト挿通孔下方に裏面からのリベット挿通半孔をそれぞれ削孔してなる瓦とからなり、瓦背面から瓦止め金具をボルト、リベットを用いて互いに一体としたことを特徴とする止め金具付瓦。
【請求項３】
Ｌ字状に折曲され、折曲された一方に第１固定孔を形成した第１固定部と他方に第２固定孔を形成した第２固定部とからなるファスナ部材の複数を躯体表面に一定間隔で上下左右に、第１固定部を介して取り付け、このファスナ部材の第２固定部に、Ｌ字状に折曲され、折曲された一方に第１取付孔を形成したファスナ取付部と他方に第２取付孔を形成した横枠部材受け部とからなる縦枠部材の複数を、ファスナ部材の第２固定部の第２固定孔と縦枠部材のファスナ取付部の第１取付孔を介して固定し、この縦枠部材にほぼチャンネル状に形成され、背面部に縦枠部材の横枠部材受け部に形成された第２取付孔に一致する取付孔を有し、上面部に止め金具付瓦の止め金具の第２係合部の係合孔を有し、下面部に上方に折り返した止め金具付瓦の止め金具の第１係合部のフック片の係合片を形成した横枠部材の複数を横枠部材の背面部に形成した取付孔と縦枠部材の横枠部材受け部に形成した第２取付孔を介して固定した後、縦長矩形の受け面とこの受け面の上縁部から略クランク状に折曲されるとともにフック片が一体に形成された第１係合部と前記受け面下縁部から略クランク状に折曲され、フック片よりも受け面部から突出している第２係合部からなる止め金具を背面に取り付けた止め金具付瓦の複数それぞれを第１係合部のフック片を横枠部材の係合片に嵌合するとともに第２係合部を横枠部材に形成された係合孔に挿入することを特徴とする瓦壁面の形成方法。
【発明の詳細な説明】
【技術分野】
【０００１】
本発明は、建築物や構築物の躯体の表面、特に垂直面にも瓦による壁面を形成するための瓦止め金具、止め金具付瓦及び瓦壁面の形成方法に関する。
【背景技術】
【０００２】
建築物や構築物において、その躯体の壁面に防水、断熱又は装飾の効果のために塗料による表面処理、化粧パネルを貼布することなどによる表面処理がごく普通に行われている。
【０００３】
たとえば、特許文献１には、外装用プレート材の取り付け構造として石板による構造が開示されている。しかしながら、特許文献１に見られるように多くの外装材は、平板状であるため、フラットな意匠感しかなく、躍動性に欠けるきらいがあった。
【０００４】
そこで、本発明者等は、屋根材として用いられている瓦に着目し、これを外装材として壁面に使用することができれば、これまでにない装飾効果が期待できると考えた。
【０００５】
瓦は、屋根材としてごく普通に使用されている。瓦の設置は隣り合う部位を重ね合わせるようにして屋根面上に並べて、その固定は釘や銅線等を用いて行われる。
【０００６】
垂直面に瓦壁面を施すには、瓦の設置が瓦の自重及び風圧に耐えられなければならない。
【０００７】
建築物や構築物の躯体の外装面に瓦を使用した構成としては、たとえば、特許文献２に見られるような外側部材取り付け装置がある。ここに示されている瓦は、桟瓦をそのまま使用しているため、桟瓦同士の縁部の重合部から雨水等が漏洩する。
【０００８】
【特許文献１】特開２０００−８７５１０号公開公報
【特許文献２】特開２００５−１３３３０３号公開公報
【発明の開示】
【発明が解決しようとする課題】
【０００９】
本発明は、平板による外装材の地味さを瓦を用いることにより解消し、また、瓦の建築物や構築物等への針金等による取り付けの不安定さを特定形状の止め金具を使用することにより解消しようとするものである。
【課題を解決するための手段】
【００１０】
本発明は、上記課題を解決するため、つぎの手段を提供する。
【００１１】
本発明は、瓦止め金具として、上方に瓦への取り付け用ボルト挿通孔、下方に瓦へのリベット挿通孔を形成したほぼ縦長矩形の受け面と、この受け面部の上縁部から略クランク状に折曲されるとともにフック片が一体に形成された第１係合部と前記受け面の下縁部から略クランク状に折曲され、フック片よりも受け面部から突出している第２係合部からなることを特徴とする瓦止め金具を提供する。
【００１２】
本発明は、止め金具付瓦として、上方に瓦への取り付け用ボルト挿通孔、下方にリベット挿通孔を形成したほぼ縦長矩形の受け面と、この受け面部の上縁部から略クランク状に折曲されるとともにフック片が一体に形成された第１係合部と前記受け面部の下縁部から略クランク状に折曲され、フック片よりも受け面部から突出している第２係合部からなる瓦止め金具と、波状部の左右方向の一端の上下方向に重ね縁部を重合する受け縁部を凹陥状に形成し、他端の上下方向に受け縁部に重合する重ね縁部を庇状に突出して形成するとともに瓦上方に前記瓦止め金具の取り付け用ボルト挿通孔、ボルト挿通孔下方に裏面からのリベット挿通半孔をそれぞれ削孔してなる瓦とからなり、瓦背面から瓦止め金具をボルト、リベットを用いて互いに一体としたことを特徴とする止め金具付瓦を提供する。
【００１３】
本発明は、瓦壁面の形成方法として、Ｌ字状に折曲され、折曲された一方に第１固定孔を形成した第１固定部と他方に第２固定孔を形成した第２固定部とからなるファスナ部材の複数を躯体表面に一定間隔で上下左右に、第１固定部を介して取り付け、このファスナ部材の第２固定部に、Ｌ字状に折曲され、折曲された一方に第１取付孔を形成したファスナ取付部と他方に第２取付孔を形成した横枠部材受け部とからなる縦枠部材の複数を、ファスナ部材の第２固定部の第２固定孔と縦枠部材のファスナ取付部の第１取付孔を介して固定し、この縦枠部材にほぼチャンネル状に形成され、背面部に縦枠部材の横枠部材受け部に形成された第２取付孔に一致する取付孔を有し、上面部に止め金具付瓦の止め金具の第２係合部の係合孔を有し、下面部に上方に折り返した止め金具付瓦の止め金具の第１係合部のフック片の係合片を形成した横枠部材の複数を横枠部材の背面部に形成した取付孔と縦枠部材の横枠部材受け部に形成した第２取付孔を介して固定した後、縦長矩形の受け面とこの受け面の上縁部から略クランク状に折曲されるとともにフック片が一体に形成された第１係合部と前記受け面下縁部から略クランク状に折曲され、フック片よりも受け面部から突出している第２係合部からなる止め金具を背面に取り付けた止め金具付瓦の複数それぞれを第１係合部のフック片を横枠部材の係合片に嵌合するとともに第２係合部を横枠部材に形成された係合孔に挿入することを特徴とする瓦壁面の形成方法を提供する。
【発明の効果】
【００１４】
本発明は、上述のようにしてなるので、つぎの効果を有する。
【００１５】
請求項１、請求項２及び請求項３において、瓦止め金具は、ほぼ縦長矩形の受け面と、この受け面部の上縁部から略クランク状に折曲されるとともにフック片が一体に形成された第１係合部と前記受け面の下縁部から略クランク状に折曲され、フック片より受け面部から突出している第２係合部からなるので、この止め金具を用いることにより、瓦を建築物や構築物の外面にマトリックス状に組み合わせた縦部材、横部材とからなる構造の下地枠に対して簡易な工程により取り付けることができ、容易に建築物や構築物の垂直面にも瓦の壁面を形成することができる。
【００１６】
金具として形成されているので、瓦を針金や銅線などで取り付けるのとは異なり、建築物や構築物に取り付けた横部材に安定的に取り付けることができる。
【００１７】
請求項２及び請求項３において、瓦は、瓦の波状部の左右方向の一端の上下方向に重ね縁部を重合する受け部を凹陥状に形成し、他端の上下方向に受け縁部に重合する重ね縁部を庇状に突出してなるので、複数の瓦を横に並べるとき、それぞれの重ね縁部を受け縁部に重ねることにより、雨水等の漏洩に対処することができる。
【００１８】
瓦は波状形態にしてなるので、建築物や構築物の外装材として施工されたとき、平板状の外装材に比し、躍動感に溢れる外観形態を形成することができる。
【００１９】
瓦の上方に、瓦止め金具を取り付けるボルト挿通孔を削孔してあるので、瓦に止め金具を装置するときの支持バランスが良く、また下方にリベット打ち込み用の挿通半孔を削孔してあるので、リベット打ち込み作業等の安定性が良く、瓦を不測に脱落するようなこともなく、瓦止め金具の取り付けを円滑にできる。
【発明を実施するための最良の形態】
【００２０】
以下、本発明の実施の形態を図面を参照して説明する。
【００２１】
図４及び図５は、瓦止め金具を示す。
【００２２】
瓦止め金具４は、鋼製にしてほぼ縦長矩形の受け面部１６と上縁部に形成された第１係合部１８と下縁部に形成された第２係合部１９とからなる。受け面部１６には、上方に瓦への取り付け用のボルト挿通孔１６ａ、下方に瓦への取り付け用のリベット挿通孔１６ｂが形成されている。第１係合部１８は、受け面部１６の上縁部から２度折曲されて略クランク状に形成されるとともにその上縁部から下方に向けて、後述する横枠部材のフック係合部に挿入するフック片１７が一体に形成されている。第２係合部１９は、受け面部１６の下縁部から２度折曲されて略クランク状に形成され、端部を後述する横枠部材の嵌合溝部に係合するようになっている。
【００２３】
図６乃至図８は、瓦を示す。
【００２４】
瓦３は、断面偏平に湾曲した前面を谷部とし、背面を山部とする波状に形成された波状部３ａの左右方向の一端の上下方向の受け縁部３ｂを凹陥状に形成、他端の上下方向に重ね縁部３ｃを庇状に突出して形成されてなり、波状部３ａの山部の背面側からは、瓦止め金具４を取り付けるためのボルト挿通孔３ｄを上方に偏奇して形成するとともにその下方に、同じく瓦止め金具４を取り付けるためのリベット挿通半孔３ｅが形成されてなる。
【００２５】
このようにして形成される瓦は、通常の屋根用桟瓦の突出稜線部分を切除し、波状部を残し、上述の態様とするも可能である。現在生産中の屋根用桟瓦の量産型等の波形上部分を兼用できる利点がある。なお、これらの瓦は、外壁瓦としてではなく、屋根瓦として用いることのできることはもちろんである。
【００２６】
上述のようにしてなる瓦止め金具と瓦とはつぎのようにして一体となる。
【００２７】
図３及び図９は、止め金具付瓦を示す。
【００２８】
瓦３の波状部３ａの背面から瓦止め金具４を瓦止め金具４の取り付け用ボルト挿通孔３ｄと瓦への取り付け用ボルト挿通孔１６ａ、瓦止め金具４の取り付け用リベット挿通半孔３ｅと瓦への取り付け用リベット挿通孔１６ｂを一致させて両ボルト挿通孔３ｄ、１６ａにこれらを貫通するボルト１４を挿通するとともにリベット挿通半孔３ｅ、リベット挿通孔１６ｂにリベットを打ち込んで一体とする。
【００２９】
このようにして形成された止め金具付瓦は、図１０以下に示すようにして建築物や構築物の垂直面に壁面材として利用され壁面を形成する。
【００３０】
まず、図１１に示すように、建物壁面２上に、鋼製の多数個のファスナ部材５を互いに上下左右に等間隔で、かつ同一の向きをもってマトリックス状に配列して固定する。ファスナ部材５は、図５に示すように第１固定部２０と、この第１固定部２０の一方側縁部から直交して折曲形成された第２固定部２１とからなる全体Ｌ字状に形成される。ファスナ部材５には、第１固定部２０にそれぞれ長さ方向（建物壁面２に固定した状態で上下方向）を長軸とした一対の長孔からなる第１固定孔２２が長さ方向に離間して第２固定孔２３が形成される。
【００３１】
各ファスナ部材５は、建物壁面２上にマトリックス状に描いた墨入れ線２５に従って各交点位置に第１固定部２０を高さ方向に位置させて当てがわれ、第１固定孔２２に嵌挿した固定ボルト２４によってそれぞれ建物壁面２に固定される。各ファスナ部材５は、第１固定孔２２を長孔としたことによって、その長さ範囲で固定位置の調整を行うことが可能である。なお、各ファスナ部材５は、固定ボルト２４に組み付けた緩み止めワッシャや角座金を介して建物壁面２に対してしっかりと固定される。
【００３２】
つぎに、図１３に示すように、マトリックス状に配列されて固定された各ファスナ部材５を介して多数個の縦枠部材６が建物壁面２上に、高さ方向に対して互いに所定の間隔をもって平行に並べられて固定される。
【００３３】
縦枠部材６は、図１２に示すように、ファスナ取付部２６と、このファスナ取付部２６の一方側縁部に全長に亘って直交して折曲形成された横枠部材受け部２７とからなる全体略Ｌ字状の長尺部材として形成される。
【００３４】
縦枠部材６は、高さ方向に隣り合って固定された一対のファスナ部材５Ａ、５Ｂの間隔とほぼ等しい長さを有している。縦枠部材６には、ファスナ取付部２６に、ファスナ部材５Ａの第２固定部２１に形成した第２固定孔２３とファスナ部材５Ｂの第２固定部２１に形成した第２固定孔２３とにそれぞれ対応して複数の第１取付孔２８が長さ方向に離間して形成されている。縦枠部材６には、横枠部材受け部２７にも、瓦止め金具４の第１係合部１８と第２係合部１９との間隔とほぼ等しい間隔をもって複数個の第２取付孔２９が長さ方向に離間して形成されている。
【００３５】
縦枠部材６は、ファスナ取付部２６を相対するファスナ部材５Ａ、５Ｂに対して、これらに跨るようにしてそれぞれの両側面に固定される。第１縦枠部材６Ａは、各ファスナ部材５Ａ、５Ｂに対してそれぞれの第２固定部２１の一方側面に当てがって組み合わされ、第１取付孔２８を第２固定部２１側の相対する第２固定孔２３にそれぞれ位置合わせされる。第２縦枠部材６Ｂも、各ファスナ部材５Ａ、５Ｂに対してそれぞれの第２固定部２１の他方側面に当てがって組み合わせ、第１取付孔２８を第２固定部２１側の相対する第２固定孔２３にそれぞれ位置合わせする。
【００３６】
第１縦枠部材６Ａと第２縦枠部材６Ｂとは、互いに連通するようにして位置合わせをし、それぞれの第１取付孔２８と各ファスナ部材５の第２固定部２１に形成した第２固定孔２３とを貫通して固定ボルト３０の先端部からねじ込んだナット３０Ａを共締めすることによってファスナ部材５Ａ、５Ｂの第２固定部２１を挟み込んでその間に跨って固定される。
【００３７】
各縦枠部材６は、ファスナ部材５に固定された状態で、それぞれの横枠部材受け部２７が建物壁面２と所定の間隔をもって対向する。各縦枠部材６は、ファスナ部材５の第２固定孔２３を長孔としたことによってその長さ範囲で横枠部材受け部２７と建物壁面２との対向間隔を調整可能とし、それぞれの縦枠受け部２７が互いに同一面を構成するようにしてファスナ部材５に固定される。
【００３８】
上述したように、各縦枠部材６が各ファスナ部材５に対してそれぞれの第２固定部２１を挟んでファスナ取付部２６を重ね合せて固定ボルト３０によって共締めして固定することから、組立工数の削減が図られるようにするとともに全体の厚みが保持されて強固な縦枠支持部材を構成する。また、各列の最下部及び最上部に固定される縦枠部材６は、最下部及び最上部に位置して建物壁面２に固定されたファスナ部材５に対して一対の第２固定孔２３に対応して形成された一対の第１取付孔２８によって２箇所で固定されるから強度の向上が図られる。
【００３９】
つぎに、図１７及び図１８に示すように、建物壁面２に固定された各縦枠部材６間に横枠部材７が横架するようにして平行に並べられて固定される。
【００４０】
横枠部材７は、図１４に示すように、鋼製にして背面部３１の一方側縁に沿って折曲形成され、上面部３２と他方側縁に沿って折曲形成された下面部とからなる溝部３６を有するほぼチャンネル状に形成され、背面部３１に縦枠部材６の横枠部材受け部２７に形成された第２取付孔２９に合致する長孔の取付孔３４を有し、上面部３２に止め金具付瓦３Ｕの瓦止め金具４の第２係合部１９の係合孔３５を有し、下面から上方に折り返した瓦止め金具４の第１係合部１８のフック片１７のフック片係合部３３を形成してなっている。
【００４１】
各横枠部材７は、図１７及び図１８に示すように、各縦枠部材６に対して、横枠受け部２７上に背面部３１が当てがわれて第２取付孔２９に相対する取付孔３４を連通させるようにして位置合わせが行われて組み合わされる。各横枠部材７は、この状態で嵌合溝部３６を利用して固定ボルト３７が連通された取付孔３４と第２取付孔２９とに嵌挿される。各横枠部材７は、縦枠部材６の横枠部材受け部２７を貫通した固定ボルト３７の先端部からナット３７Ａがねじ込まれ、このナット３７Ａを締め付けることによって縦枠部材６にしっかりと固定される。
【００４２】
上述したように高さ方向に平行に並べて建物壁面２に固定した各縦枠部材６間に多数個の横枠部材７を横方向に所定の間隔をもって平行に並べられて固定することによって、図１７に示す建物壁面２に数個の縦枠部材６と横枠部材７とをマトリックス状に組み合せた下地枠が構成される。
【００４３】
ついで、必要に応じて、上方に水切り部材１０、最下方に最下部塞ぎ部材を設置する。
【００４４】
水切り部材１０は、図１９乃至図２１に示すように、建物壁面２上に葺かれた止め金具付瓦３Ｕを全域に亘って覆うに足る幅を有する長尺の平板部材からなる。水切り部材１０は、やや前下がりの平板部からなる本体部４５と、この本体部４５の一方側縁に沿って下方へと折曲されて形成された水切り凸縁部４６と、本体部４５の他方側縁に沿って上方へと折曲されて形成された突当て凸縁部４７とからなる。
【００４５】
水切り部材１０には、図１９及び図２１に示すように、本体部４５の底面側に取付部材４８が固定される。取付部材４８は、水切り部材１０とほぼ同長とされた断面Ｌ字状の部材であり、水平部位を本体部４５に固定されるとともに垂直部位を取付部として横枠部材受け部２７に固定される。取付部材４８はには、隣り合う縦枠部材６のそれぞれの横枠部材受け部２７に形成した第２取付孔２９に対応した間隔をもって長さ方向を長軸とする長孔からなる取付孔が形成されている。
【００４６】
目隠し取付部材４９は、図２０に示すように、それぞれ縦枠部材６との固定部位に対応して水切り部材１０の本体部４５に固定される。目隠し取付部材４９も、断面Ｌ字状に形成された部材であり、水平部位を本体部４５に固定されるとともに垂直部位を後述する目隠し部材１１の取付部として構成される。目隠し取付部材４９には、取付部に取付孔が形成されている。
【００４７】
水切り部材１０は、各縦枠部材６に対して、それぞれの横枠部材受け部２７に取付部材４８の垂直部位が当てがわれて第２取付孔２９に相対する取付孔をそれぞれ連通させるようにして位置合わせが行われて組み合わされる。壁面１においては、詳細を省略するが、固定ボルト５０とナット５０Ａとにより取付部材４８を各横枠部材受け部２７に固定することによって、図２０及び図２１に示すように水切り部材１０が各縦枠部材６の上端部に横架されて固定される。各縦枠部材６に跨って固定された水切り部材１０は、図２１に示すように突当て凸縁部４７を建物壁面２に突き当てられることによって、この建物壁面２と止め金具付瓦３Ｕを固定する横枠部材７との間に構成される間隙を閉塞する。
【００４８】
最下部塞ぎ部材５１は、図２２に示すように幅方向の中央部位を全長に亘って折り畳むように折曲することによって立壁状の立上り取付部５２が形成される。最下部塞ぎ部材５１は、立上り取付部５２を挟んで一方側が内方閉塞部５３を構成するとともに他方側が外方閉塞部５４を構成する。最下部塞ぎ部材５１には、立上り取付部５２に、隣り合う縦枠部材６のそれぞれの横枠部材受け部２７に形成した第２縦枠取付孔２９に対応した間隔をもって長さ方向を長軸とする長孔からなる複数個の取付孔５５が形成されている。
【００４９】
ついで、必要に応じて、横枠部材７の両端部には、出隅部材１２、入隅部材１３等のコーナー材を取り付ける。
【００５０】
出隅部材１２は、図２４に示すように横枠部材７に固定される第１固定部５７と、この第１固定部５７の側縁に直交するように全長に亘って折曲されて一体に形成された立壁部５８と、この立壁部５８の下端縁に第１固定部５７と反対側に向かって直交するように全長に亘って折曲されて一体に形成された間隔保持部５９と、この間隔保持部５９の下端縁に直交するように全長に亘って折曲された第２固定部６０とから構成される。出隅部材１２には、第１固定部５７に隣り合う横枠部材７に形成した取付孔３４に対応した間隔をもって複数個の取付孔６１が形成されている。
【００５１】
入隅部材１３は、図２５に示すように横枠部材７に固定される第１固定部６２と、この第１固定部６２の側縁に直交するように全長に亘って折曲されて一体に形成された第１立壁部６３と、この第１立壁部６３の下端縁に第１固定部６２と反対側に向かって直交するように全長に亘って折曲されて一体に形成された第１間隔保持部６４を有する。入隅部材１３は、第１間隔保持部６４の下端縁に直交するように全長に亘って折曲された第２立壁部６５と、この第２立壁部６５の下端縁に第１間隔保持部６４と反対側に向かって直交するように全長に亘って折曲されて一体に形成された第２間隔保持部６６と、この第２間隔保持部６６の下端縁に直交するように全長に亘って折曲された第２固定部６７とから構成される。入隅部材１３には、第１固定部６３に隣り合う横枠部材７のそれぞれの横枠受け部３２に形成した横枠取付孔３４に対応した間隔をもって複数個の取付孔６８が形成されている。
【００５２】
出隅部材１２は、図２６に示すように直交する第１建物壁面２Ａと第２建物壁面２Ｂとの間に跨って固定されることによって、コーナー部位を閉塞する。なお、壁面装置１においては、入隅部材１３がコーナー部位の内側に同様にして固定されることから、詳細について説明を省略する。出隅部材１２は、同図に示すように例えば第１建物壁面２Ａ側の最上部横枠部材８Ａと最下部横枠部材９Ａ（図示せず）とに跨って第１固定部５７が当てがわれてそれぞれの外側に形成された取付孔に取付孔６１が位置合わせされる。出隅部材１２は、各取付孔に嵌挿した固定ボルト６９の先端部にナット６９Ａをねじ込んで最上部横枠部材８と最下部横枠部材９とに固定される。
【００５３】
出隅部材１２は、図２２に示すようにこの状態で立壁部５８と間隔保持部５９とを介して第２固定部６０が第２建物壁面２Ｂ側の最上部横枠部材９Ｂ（図示せず）の側端部の背面に近接して延在する。出隅部材１２は、第２固定部６０が第２建物壁面２Ｂに一端を固定された連結部材７０の他端側に固定されることによって、同図に示すように第１建物壁面２Ａと第２建物壁面２Ｂとのコーナー部位に構成された間隙を閉塞する。
【００５４】
ついで、必要に応じて最上部横枠部材８、最下部横枠部材９を横架する。
【００５５】
最上部横枠部材８は、図１５に示すように鋼製にしてクランク状に形成され、背面部３８に縦枠部材６の横枠部材受け部２７に形成された第２取付孔２９に合致する長孔の取付孔４０を有するとともに前面に止め金具付瓦３Ｕの瓦止め金具４の第１係合部１８のフック片１７の係合部３９が形成され、図２に示すように縦枠部材６の上方にボルト・ナットにより取り付けられる。
【００５６】
最下部横枠部材９は、図１６に示すように鋼製にしてほぼＬ字状に折曲して形成され、背面部４１に縦枠部材６の横枠部材受け部２７に形成された第２取付孔２９に合致する長孔の取付孔４３を有するとともに下面部４２に止め金具付瓦３Ｕの瓦止め金具４の第２係合部１９の最下係合部４４が形成され、図１８に示すように縦枠部材６の下方にボルト・ナットにより取り付けられる。
【００５７】
上述のようにして下地枠が形成された後は、各横枠部材に止め金具付瓦３Ｕを設置する。
【００５８】
止め金具付瓦３Ｕは、下地枠に対して例えば下方から上方に向けて、また、左右に順次取り付けられる。
【００５９】
取り付けは、図２に示すように瓦止め金具４の第１係合部１８に形成したフック片１７を上段の横枠部材７Ｕの溝部３６から差し込んで、フック係合部３３に落し込むようにするとともに第２係合部１９を下段の横枠部材７Ｌの係合部３５に挿入して係合して行う。
【００６０】
図２において、上方に位置する瓦の下部で下方に位置する瓦の上部を被覆するので、開示してないがボルト、リベットは覆い隠されて外観を良好なものとすることができる。
【００６１】
瓦止め金具４の第１係合部１８のフック片１７をフック係合部３３を挟み込むようにして係合することによって、止め金具付瓦３Ｕがその上方部位を上段の横枠部材７Ｕに保持される。また、フック片１７が係合３３、３９を圧入状態で挟み込むようにして弾性係止されるので、がたつきもなく確実に止められ強風下でもがたつき騒音の発生を誘因しない。
【００６２】
瓦止め金具４の第２係合部１９が、横枠部材７の上面部３２に形成した係合孔３５に係合されることによって止め金具付瓦３Ｕが、その下方部位を下段の横枠部材７Ｌに保持される。
【００６３】
この工程において、止め金具付瓦３Ｕは、受け面部１６から第１係合部１８に対して第２係合部１９を大きな突出量をもって形成した瓦止め金具４が瓦３に固定されていることから、止め金具付瓦３Ｕは、図２に示すように各瓦３を上方から下方に向かって次第に前方へと傾斜するいわゆる前下がりの状態で各横枠部材７に取り付けられる。そのため上段側の各止め金具付瓦３Ｕは、瓦３の下方部位を建物壁面２から突出して間隙を構成することから、下段側の各止め金具付瓦３Ｕが図１及び図２に示すように上下の瓦３が相対する下方部位と上方部位とが重なり合うようにして取り付けられる。また、各瓦は側方部位にそれぞれ係合段部３ｂと係合段部３ｄが形成されているので、隣り合う止め金具付瓦３Ｕ
を相対する係合段部３ｂと係合段部３ｄとを重ね合わせるようにして取り付けられる。
【００６４】
このようにして、図１及び図２に示すように、建築物や構築物の垂直面に瓦壁を形成する。
【図面の簡単な説明】
【００６５】
【図１】壁面の要部斜視図である。
【図２】壁面の要部断面図である。
【図３】止め金具付瓦の背面側からの斜視図である。
【図４】瓦止め金具の斜視図である。
【図５】瓦止め金具の側面図である。
【図６】瓦の正面図である。
【図７】瓦の縦断面図である。
【図８】瓦の横断面図である。
【図９】止め金具付瓦の断面図である。
【図１０】ファスナ部材の斜視図である。
【図１１】建物壁面にファスナ部材を固定した状態を示す要部斜視図である。
【図１２】縦枠部材の斜視図である。
【図１３】建物壁面に縦枠部材を固定した状態を示す要部斜視図である。
【図１４】横枠部材の斜視図である。
【図１５】最上部横枠部材の斜視図である。
【図１６】最下部横枠部材の斜視図である。
【図１７】建物壁面に横枠部材を固定した状態を示す要部斜視図である。
【図１８】建物壁面に横枠部材を固定した状態を示す要部断面図である。
【図１９】水切り部材の斜視図である。
【図２０】水切り部材を固定した状態を示す要部斜視図である。
【図２１】水切り部材を固定した状態を示す要部断面図である。
【図２２】最下部塞ぎ部材の斜視図である。
【図２３】建物壁面に最下部塞ぎ部材を固定した状態を示す要部断面図である。
【図２４】コーナー部材を構成する出隅部材の斜視図である。
【図２５】コーナー部材を構成する入隅部材の斜視図である。
【図２６】出隅部材を固定した状態を示す要部断面図である。
【符号の説明】
【００６６】
１    壁面
２    建物壁面
３    瓦
３ａ  波状部
３ｂ  受け縁部
３ｃ  重ね縁部
３ｄ  ボルト挿通孔
３ｅ  リベット挿通半孔
３Ｕ  止め金具付瓦
４    瓦止め金具
５    ファスナ部材
６    縦枠部材
７    横枠部材
８    最上部横枠部材
９    最下部横枠部材
１０  水切り部材
１１  目隠し部材
１２  出隅部材
１３  入隅部材
１４  ボルト
１５  リベット
１６  受け面部
１６ａ  ボルト挿通孔
１６ｂ  リベット挿通孔
１７  フック片
１８  第１係合部
１９  第２係合部
２０  第１固定部
２１  第２固定部
２２  第１固定孔
２３  第２固定孔
２５  墨入れ線
２６  ファスナ取付部
２７  横枠部材受け部
２８  第１取付孔
２９  第２取付孔
３１  背面部
３２  上面部
３３  係合部
３５  係合孔
３６  溝部
３８  背面部
３９  係合部
４１  背面部
４２  下面部
４３  取付孔
４４  最下係合孔
４５  本体部
４６  水切り凸縁部
４７  突当て凸縁部
４８  取付部材
４９  目隠し取付部材
５１  最下部塞ぎ部材
５２  立上り取付部
５３  内方閉塞部
５４  外方閉塞部
５７  第１固定部
５８  立壁部
５９  間隔保持部
６０  第２固定部
６２  第１固定部
６３  第１立壁部
６４  第１間隔保持部
６５  第２立壁部
６６  第２間隔保持部
６７  第２固定部
６８  取付孔
７０  連結部材
【図１】
0004778764.tif 000002
【図２】
0004778764.tif 000003
【図３】
0004778764.tif 000004
【図４】
0004778764.tif 000005
【図５】
0004778764.tif 000006
【図６】
0004778764.tif 000007
【図７】
0004778764.tif 000008
【図８】
0004778764.tif 000009
【図９】
0004778764.tif 000010
【図１０】
0004778764.tif 000011
【図１１】
0004778764.tif 000012
【図１２】
0004778764.tif 000013
【図１３】
0004778764.tif 000014
【図１４】
0004778764.tif 000015
【図１５】
0004778764.tif 000016
【図１６】
0004778764.tif 000017
【図１７】
0004778764.tif 000018
【図１８】
0004778764.tif 000019
【図１９】
0004778764.tif 000020
【図２０】
0004778764.tif 000021
【図２１】
0004778764.tif 000022
【図２２】
0004778764.tif 000023
【図２３】
0004778764.tif 000024
【図２４】
0004778764.tif 000025
【図２５】
0004778764.tif 000026
【図２６】
0004778764.tif 000027